(57)【要約】      （修正有）【課題】レンズキャップの部品点数を少なくし、部品コストや組立てコストを下げる。レンズキャップ脱着のための構造を簡素化し且つ脱着をスムースにする。【解決手段】レンズキャップ１００の外周に設けられたつまみ部１０２よりも内周側にレンズキャップ１００の爪部１０１をつまみ部１０２とはそれぞれ独立に有する構造を採用し、爪部１０１とつまみ部１０２との間に隙間を設け、ユーザが脱着時にレンズキャップ外周を摘んだとしても、レンズ外周とレンズキャップ１００の爪部１０１とに摩擦力が増大することを防止する。【選択図】図５
2008298809.tif 000002
【特許請求の範囲】
【請求項１】
レンズ先端部外周に設けられた溝部をレンズキャップの爪部で該レンズの光軸に向かって保持することにより、該レンズキャップ本体を固定するレンズキャップにおいて、レンズキャップの爪部を該レンズキャップ外周に設けられたつまみ部よりも内周側に有し、該レンズキャップの爪部をつまみ部とはそれぞれ独立に有することを特徴とするレンズキャップ。
【請求項２】
レンズキャップ外周の側面は該レンズキャップが装着されるレンズ先端部のレンズフード取り付け用バヨネットを全て覆うのに十分な大きさを有することを特徴とする請求項１に記載のレンズキャップ。
【発明の詳細な説明】
【技術分野】
【０００１】
本発明は、スチルカメラ、ビデオカメラ、プロジェクター、又はその他光学機器のレンズキャップの構造に関する。
【背景技術】
【０００２】
従来からスチルカメラのレンズキャップ取り付け構造はバネやプラスチック素材の弾性力をレンズの光軸から放射方向に付勢して、レンズフィルタ取り付けネジ部等の内周に突っ張るように固定するのが多数である。
【０００３】
この代表的な例として特開２００３−２４１２６１号公報に記載されたレンズキャップがある。こうしたレンズキャップには常にレンズ光軸付近から放射方向へバネなどの弾性力により付勢され、レンズフィルタ取り付けネジ部内周をとらえるための爪部を有した一組の部材がある。レンズキャップをレンズに装着する際には、ユーザはまずこの一組の部材を付勢されている弾性力に逆らって両側から指で摘むことによって、レンズキャップの径を部分的に小さく変化させる。レンズキャップの径を部分的に小さく保ったまま、レンズのレンズフィルタ取り付けネジ部内周へ嵌め込む。その後、レンズキャップの一組の部材の弾性力と逆方向に付勢していた指の力を抜くことによって、再びこの一組の部材はレンズ光軸付近から放射方向に弾性力を付勢してレンズフィルタ取り付けネジ部内周を爪部でとらえてレンズキャップ本体をレンズに固定する。
【０００４】
上記のようにレンズフィルタ取り付けネジ部内周に対して弾性力をレンズ光軸付近から放射方向に付勢するレンズキャップは、外径を小さくするメリットやレンズフードを取り付けたままレンズキャップを容易に取り外しできるメリットがある。
【０００５】
その反面で特開２００３−２４１２６１号公報に記載されたレンズキャップの取り付け構造においては、レンズフードを取り付けた時にレンズキャップとレンズフードとが干渉しないように考慮する必要があるため、レンズキャップのレンズに対する取り付け方法は、レンズキャップ外周部がレンズ先端の外周部に覆い被さるような構造には出来ず、レンズ光軸に垂直な面方向からのレンズキャップとレンズの隙間への埃や異物の進入を完全に防止することは難しい。特にレンズフード取り付け用バヨネットがレンズ先端部外周に設けられているレンズにおいて、このバヨネットがレンズキャップにより覆われないとバヨネットの溝に埃や異物が進入する。
【０００６】
また光軸付近から放射方向への付勢力を生じさせるための構造を有することから起因するデメリットがある。大きな問題としてはレンズキャップの製造コストが大きくなることである。レンズキャップ自体は、スチルカメラ本体と対比させると、スチルカメラの機能を発揮するための中心部品ではなく、出来るだけコストダウンを実現することが望ましい。しかしながら、特開２００３−２４１２６１号公報に記載された部品数の多いレンズキャップを製造するには、バネ等の部品コストやABS樹脂等の射出成形部品を製造するための金型コスト、またこれらを組立てるための組立てコストを削減することが難しい。
【０００７】
また光軸付近から放射方向への付勢力を生じさせるための構造は、レンズ光軸に垂直な面に対して水平にレンズキャップ内部へ設置する必要がある。こうした構造を有することにより、レンズ最前面に相対するレンズキャップ面の外力による撓みでレンズ最前面の突起部分にレンズキャップが当たる可能性がある。しかしながら、上記構造はレンズ最前面の形状に合わせて自由な曲面に設計することは出来ない。
【０００８】
特開２００７−５７７３９号公報に記載のレンズキャップは従来のレンズキャップの付勢力の与え方とは異なり、レンズ外周の溝に対してレンズキャップの爪部を光軸に向かって不勢することによりレンズキャップを固定する特徴を有している。またレンズキャップの外周部がレンズ先端の外周部を覆い被さるような構造になっているので、埃や異物の混入を防止することが出来ると記載されている。
【０００９】
その一方で特開２００３−２４１２６１号公報に記載されたレンズキャップと同様にレンズ外周の溝に対してレンズキャップの爪部を光軸に向かって不勢する力を生じさせるための構造が複雑であるので部品点数が多い。そのためにこの構造もまたコストダウンを実現するのは難しい。さらにこの構造も特開２００３−２４１２６１号公報に記載されたレンズキャップと同様にレンズキャップ内部へレンズ光軸に垂直な面に対して水平に設置する必要があり、これがレンズ最前面の突起部分に当たる可能性がある。
【００１０】
特開２００６−３９２１５号公報に記載された嵌め込み式のレンズキャップは一部品であり、非常にシンプルで広範囲の環境温度で安定した機能を発揮すると記載されている。また先の２件の特許文献に記載されたレンズキャップと違い、付勢力を生じさせるための構造をレンズキャップ内部に有するような複雑な構造ではないため、コストダウンやレンズ最前面に合わせて自由な曲面を形成することが出来ると思われる。
【００１１】
しかしながら、内側保持部と外側保持部の間にレンズ先端部を嵌め込むため、ユーザがレンズキャップ外周の複数箇所を摘んで脱着しようとするときに外側保持部とレンズ先端部が密着し、これによりレンズキャップとレンズ先端部との間の摩擦力が増大するため、レンズキャップの適度な脱着が難しくなる。
【特許文献１】特開２００３−２４１２６１号公報
【特許文献２】特開２００７−５７７３９号公報
【特許文献３】特開２００６−３９２１５号公報
【発明の開示】
【発明が解決しようとする課題】
【００１２】
従来のレンズキャップにおいては、光軸付近から放射方向への付勢力を生じさせるため若しくはレンズ外周の溝に対してレンズキャップの爪部を光軸に向かう不勢力を生じさせるための構造的特徴から、脱着するための構造が複雑であるので、部品点数が多くコストダウンの実現が難しかった。また付勢力を生じさせるための構造をレンズ内部に有するためにレンズキャップの形状に制限があった。
【００１３】
また一方でこの構造を省いて適度な脱着を実現することは難しかった。
【００１４】
また従来のレンズキャップの側面は、装着されるレンズ先端部のフード取り付け用バヨネットを覆うのに十分な大きさではなかった。そのため埃や異物が侵入し、バヨネットの溝に溜まりこむ問題があった。
【課題を解決するための手段】
【００１５】
本発明のレンズキャップでは、レンズ先端部外周に設けられた溝部をレンズキャップの爪部で保持することによりレンズキャップ本体を固定するレンズキャップにおいて、レンズキャップの爪部をレンズキャップ外周に設けられたつまみ部よりも内周側に設け、且つつまみ部とは一体でなくそれぞれ独立に有する構造を採用することにより上記課題の解決を図った。
【発明の効果】
【００１６】
本発明のレンズキャップの構造は単一部材で成立するため、部品コスト及び組立てコストの削減に有利である。
【００１７】
またレンズキャップの爪部がつまみ部とそれぞれ独立に設けられているため、つまみ部を摘んだときのレンズキャップの変形による爪部とレンズ先端部外周との摩擦力の増大を防ぐことによりレンズキャップの脱着がスムースにできる。
【００１８】
また従来のレンズキャップのように付勢力を発生するための構造をレンズキャップ内部に有することを要しないため、例えば装着させるレンズ口径が小さくこの構造をレンズキャップ内部に設けるため十分なスペースがない場合やレンズ最前面の形状に合わせてレンズキャップの形状を曲面にしたい場合にも柔軟なレンズキャップ形状を採用することができる。
【発明を実施するための最良の形態】
【００１９】
以下、本発明のレンズキャップについて図面を用いて説明する。なお全ての図面において同一部分は同一番号で示す。
【００２０】
まず本発明のレンズキャップの構造について説明する。
【００２１】
図１は本発明のレンズキャップ１００がフロントベース２００に装着する様子を示した斜視図である。本発明のレンズキャップの装着方式は、フロントベース外周に設けられた溝部にレンズキャップ爪部を嵌め込む方式であるのでねじ込む必要はない。また従来のレンズキャップのようにつまみ部を摘んで爪部１０１を操作する必要もない。レンズキャップをフロントベースに押し込むことで適度なクリックとともに装着が可能である。
【００２２】
図２は本発明のレンズキャップ１００の背面図を示した図である。１０１はレンズキャップの爪部、１０２はレンズキャップのつまみ部、１０３は後で説明するフロントベースのバヨネットと干渉してレンズキャップの回転を規制するためのストッパーである。図３（ａ）は図２のレンズキャップ１００の背面図A−Aにおける断面図である。図３（ｂ）は図２のレンズキャップ１００の背面図B−Bにおける断面図である。図２及び図３で図示した通り、レンズキャップの爪部１０１はレンズキャップ外周に設けられたつまみ部１０２よりも内周側にかつ独立に設けられている。そのため本発明のレンズキャップにおいては、爪部１０１とつまみ部１０２の間に隙間を有することが特徴である。
【００２３】
図４はレンズキャップ１００を装着するフロントベース２００の側面図である。２０４はレンズキャップ１００の爪部１０１が入り込むための溝部、２０５はレンズフード等を取り付けるためのバヨネットである。フロントベース２００のバヨネット２０５とレンズキャップ１００のストッパー１０３はレンズキャップ１００装着時に互いに干渉し、レンズキャップ１００の光軸回りの回転を規制する。
【００２４】
図５はレンズキャップ１００がフロントベース２００に装着された時の断面図である。レンズキャップ１００の爪部１０１はフロントベース２００の溝部２０４に入り込み、レンズキャップ１００本体を固定する。
【００２５】
次に本発明のレンズキャップの脱着時の様子について説明する。
【００２６】
ユーザがレンズキャップ脱着時につまみ部１０２を摘んだときには、つまみ部１０２が設けられているレンズキャップ外周が変形する。しかしながら爪部１０１はつまみ部１０２との間に隙間を有しており、レンズキャップ外周とはそれぞれ独立に設けられているため爪部１０１はユーザの指による外力の影響を受けにくく、フロントベース２００に設けられた溝部２０４との適度なクリックを常に保つことが出来る。
【００２７】
以上のように本実施例のレンズキャップの構造によれば、ユーザがレンズキャップ脱着時につまみ部を摘んだとしても、常にレンズキャップの爪部とフロントベースの溝部との適度なクリックとともに脱着することが出来る。
【００２８】
またレンズキャップがレンズ先端部を覆い被さるように装着されることにより、レンズへの埃や異物の混入を防止するのに有利である。
【００２９】
またレンズキャップを一つの部品で構成することが出来るため、部品コストや組立てコストが低廉に抑えることが出来る。
【００３０】
またレンズキャップ内部に複雑な付勢力を発生するための構造を有する必要がないので、レンズキャップのレンズ最前面に相対した面を自由な形状にすることが出来る。
【図面の簡単な説明】
【００３１】
【図１】本発明のレンズキャップがフロントベースに装着する様子を示した斜視図である。
【図２】本発明のレンズキャップの背面図である。
【図３】本発明のレンズキャップの断面図である。
【図４】本発明のレンズキャップを装着するフロントベースの側面図である。
【図５】レンズキャップがフロントベースに装着された時の断面図である。
【符号の説明】
【００３２】
１００  レンズキャップ
２００  フロントベース
１０１  爪部
１０２  つまみ部
１０３  ストッパー
２０４  溝部
２０５  バヨネット
【図１】
2008298809.tif 000003
【図２】
2008298809.tif 000004
【図３】
2008298809.tif 000005
【図４】
2008298809.tif 000006
【図５】
2008298809.tif 000007